【手続補正書】
【提出日】平成17年6月24日(2005.6.24)
【手続補正１】
【補正対象書類名】明細書
【補正対象項目名】特許請求の範囲
【補正方法】変更
【補正の内容】
【特許請求の範囲】
【請求項１】
開口径を可変とすることによりレンズを透過する光量を調整する第１の光量調整手段と、
前記第１の光量調整手段とは異なる方法で前記レンズを透過する光量を調整する第２の光量調整手段と、
前記レンズを通過する透過光量を変化させる際、前記第１及び第２の光量調整手段を透過光量の変化の方向が互いに逆方向となるように同時に動作することによって目標となる透過光量を得るように制御可能な制御手段と、を有することを特徴とする光量調整装置。
【請求項２】
前記第１の光量調整手段及び第２の光量調整手段の駆動量の関係を示す特性曲線を記憶した記憶手段を備え、前記制御手段は、前記第１及び第２の検出手段の出力と、前記特性曲線に基づいて、前記第１の光量調整手段及び第２の光量調整手段を制御するように構成したことを特徴とする請求項２に記載の光量調整装置。
【請求項３】
開口径を可変とすることによりレンズを透過する光量を調整する第１の光量調整手段と、前記第１の光量調整手段とは異なる方法で前記レンズを透過する光量を調整する第２の光量調整手段と、
前記第１の光量調整手段の動作状態を検出する第１の検出手段と、
前記第２の光量調整手段の動作状態を検出する第２の検出手段と、
前記レンズを透過する透過光量を増減させるに際して、前記第１の検出手段の検出結果と第２の検出手段の検出結果が所定の関係となるように、前記第１及び第２の光量調整手段を同時に制御する制御手段と、を備えたことを特徴とする光量調整装置。
【請求項４】
前記第２の光量調整手段の動作状態を外部より指示する指示手段を備え、
前記制御手段は、前記指示手段からの支持に基づいて第２の光量調整手段の動作状態を変化させるにあたり、前記第１の検出手段の検出結果と前記第２の検出手段の検出結果が所定の関係となり、かつ、前記指示手段により指示された第２の光量調整手段の駆動状態を得るように、前記第１と第２の光量調整手段を同時に制御することを特徴とする請求項３の光量調整装置。
【請求項５】
開口径を可変とすることによりレンズを透過する光量を調整する第１の光量調整手段と、前記第１の光量調整手段とは異なる方法で前記レンズを透過する光量を調整する第２の光量調整手段と、
前記レンズを透過する透過光量を変化させる際、前記第１、第２の光量調整手段の両方を同時に動作させる制御手段を有し、
前記制御手段は撮像装置の撮影モードに応じて、前記第１、第２の光量調整手段の動作を変化させることを特徴とする光量調整装置。
【請求項６】
開口径を可変とすることによりレンズを透過する光量を調整する第１の光量調整手段と、
前記第１の光量調整手段とは異なる方法で前記レンズを透過する光量を調整する第２の光量調整手段と、
前記第１及び第２の光量調整により透過される光量が一定となるそれぞれの光量調節手段の組み合わせに関するデータを複数の光量に対して記憶した記憶手段と、
前記記憶手段に記憶されている内容にしたがって、前記第１及び第２の光量調整手段を制御する制御手段と、
を備えたことを特徴とする光量調整装置。
【請求項７】
開口径を可変とすることによりレンズを透過する光量を調整する第１の光量調整手段と、
入射光に対する透過率を変化させることによってレンズを透過する光量を調整する第２の光量調整手段と、
前記第１の光量調整手段と、前記第２の光量調整手段が同時に駆動される期間が短くなるように、前記第１、第２の駆動量の組み合わせを制御する制御手段と、
を備えたことを特徴とする光量調整装置。
【請求項８】
開口径を可変とすることによりレンズを透過する光量を調整する第１の光量調整手段と、
前記第１の光量調整手段とは異なる方法で前記レンズを透過する光量を調整する第２の光量調整手段と、
前記第１または第２の光量調整手段を外部操作可能とする指示手段と、
前記第１及び第２の光量調整手段によって透過光量を制御するとともに、前記指示手段によって前記第１または第２の光量調整手段の一方の光量調整手段の調整状態を変化させたとき、該変化による前記透過光量の変化を補正する方向に他方の光量調整手段を駆動する制御手段と、を備えたことを特徴とする光量制御装置。
【請求項９】
前記第１の光量調整手段の動作状態を検出する第１の検出手段と、前記第２の光量調整手段の動作状態を検出する第２の検出手段とを備え、前記制御手段は、前記第１及び第２の検出手段の出力に基づいて、前記第１及び第２の光量調整手段の駆動量及び方向を制御することを特徴とする請求項１から８いずれかに記載の光量調整装置。
【請求項１０】
前記制御手段は、前記所定の関係をもって第１と第２の光量調整手段を駆動するに際して、透過光量がほぼ一定となる状態を保ちながら制御することを特徴とする請求項１から８いずれかに記載の光量調整装置。
【請求項１１】
開口径を可変とすることによりレンズを透過する光量を調整する第１の光量調整行程と、
前記第１の光量調整行程とは異なる方法で前記レンズを透過する光量を調整する第２の光量調整行程と、
前記レンズを通過する透過光量を変化させる際、前記第１及び第２の光量調整行程を透過光量の変化の方向が互いに逆方向となるように同時に動作することによって目標となる透過光量を得るように制御可能な制御行程と、を有することを特徴とする光量調整装置の制御方法。
【請求項１２】
前記第１の光量調整行程及び第２の光量調整行程の駆動量の関係を示す特性曲線を記憶した記憶行程を備え、前記制御行程は、前記第１及び第２の検出行程の出力と、前記特性曲線に基づいて、前記第１の光量調整行程及び第２の光量調整行程を制御するように構成したことを特徴とする請求項１１に記載の光量調整装置の制御方法。
【請求項１３】
開口径を可変とすることによりレンズを透過する光量を調整する第１の光量調整行程と、前記第１の光量調整行程とは異なる方法で前記レンズを透過する光量を調整する第２の光量調整行程と、
前記第１の光量調整行程の動作状態を検出する第１の検出行程と、
前記第２の光量調整行程の動作状態を検出する第２の検出行程と、
前記レンズを透過する透過光量を増減させるに際して、前記第１の検出行程の検出結果と第２の検出行程の検出結果が所定の関係となるように、前記第１及び第２の光量調整行程を同時に制御する制御行程と、を備えたことを特徴とする光量調整装置の制御方法。
【請求項１４】
前記第２の光量調整手段の動作状態を外部より指示する指示行程を備え、
前記制御行程は、前記指示行程からの支持に基づいて第２の光量調整行程の動作状態を変化させるにあたり、前記第１の検出行程の検出結果と前記第２の検出行程の検出結果が所定の関係となり、かつ、前記指示行程により指示された第２の光量調整行程の駆動状態を得るように、前記第１と第２の光量調整行程を同時に制御することを特徴とする請求項３の光量調整装置の制御方法。
【請求項１５】
開口径を可変とすることによりレンズを透過する光量を調整する第１の光量調整行程と、前記第１の光量調整行程とは異なる方法で前記レンズを透過する光量を調整する第２の光量調整行程と、
前記レンズを透過する透過光量を変化させる際、前記第１、第２の光量調整行程の両方を同時に動作させる制御行程を有し、
前記制御行程は撮像装置の撮影モードに応じて、前記第１、第２の光量調整行程の動作を変化させることを特徴とする光量調整装置の制御方法。
【請求項１６】
開口径を可変とすることによりレンズを透過する光量を調整する第１の光量調整行程と、
前記第１の光量調整行程とは異なる方法で前記レンズを透過する光量を調整する第２の光量調整行程と、
前記第１及び第２の光量調整により透過される光量が一定となるそれぞれの光量調節行程の組み合わせに関するデータを複数の光量に対して記憶した記憶行程と、
前記記憶行程に記憶されている内容にしたがって、前記第１及び第２の光量調整行程を制御する制御行程と、
を備えたことを特徴とする光量調整装置の制御方法。
【請求項１７】
開口径を可変とすることによりレンズを透過する光量を調整する第１の光量調整行程と、
入射光に対する透過率を変化させることによってレンズを透過する光量を調整する第２の光量調整行程と、
前記第１の光量調整行程と、前記第２の光量調整行程が同時に駆動される期間が短くなるように、前記第１、第２の駆動量の組み合わせを制御する制御行程と、
を備えたことを特徴とする光量調整装置の制御方法。
【請求項１８】
開口径を可変とすることによりレンズを透過する光量を調整する第１の光量調整行程と、
前記第１の光量調整行程とは異なる方法で前記レンズを透過する光量を調整する第２の光量調整行程と、
前記第１または第２の光量調整行程を外部操作可能とする指示行程と、
前記第１及び第２の光量調整行程によって透過光量を制御するとともに、前記指示行程によって前記第１または第２の光量調整行程の一方の光量調整行程の調整状態を変化させたとき、該変化による前記透過光量の変化を補正する方向に他方の光量調整行程を駆動する制御行程と、を備えたことを特徴とする光量制御装置の制御方法。
【手続補正２】
【補正対象書類名】明細書
【補正対象項目名】００３３
【補正方法】変更
【補正の内容】
【００３３】
【課題を解決する為の手段】
上記課題を解決し、目的を達成するために、本発明の光量制御装置は、開口径を可変とすることによりレンズを透過する光量を調整する第１の光量調整手段と、前記第１の光量調整手段とは異なる方法で前記レンズを透過する光量を調整する第２の光量調整手段と、前記レンズを通過する透過光量を変化させる際、前記第１及び第２の光量調整手段を透過光量の変化の方向が互いに逆方向となるように同時に動作することによって目標となる透過光量を得るように制御可能な制御手段と、を有することを特徴とする光量調整装置。
【手続補正３】
【補正対象書類名】明細書
【補正対象項目名】００３４
【補正方法】変更
【補正の内容】
【００３４】
上記課題を解決し、目的を達成するために、本発明の光量制御装置は、開口径を可変とすることによりレンズを透過する光量を調整する第１の光量調整手段と、前記第１の光量調整手段とは異なる方法で前記レンズを透過する光量を調整する第２の光量調整手段と、前記第１の光量調整手段の動作状態を検出する第１の検出手段と、前記第２の光量調整手段の動作状態を検出する第２の検出手段と、前記レンズを透過する透過光量を増減させるに際して、前記第１の検出手段の検出結果と第２の検出手段の検出結果が所定の関係となるように、前記第１及び第２の光量調整手段を同時に制御する制御手段と、を備えたことを特徴とする光量調整装置。
【手続補正４】
【補正対象書類名】明細書
【補正対象項目名】００３５
【補正方法】変更
【補正の内容】
【００３５】
上記課題を解決し、目的を達成するために、本発明の光量制御装置は、開口径を可変とすることによりレンズを透過する光量を調整する第１の光量調整手段と、前記第１の光量調整手段とは異なる方法で前記レンズを透過する光量を調整する第２の光量調整手段と、前記レンズを透過する透過光量を変化させる際、前記第１、第２の光量調整手段の両方を同時に動作させる制御手段を有し、前記制御手段は撮像装置の撮影モードに応じて、前記第１、第２の光量調整手段の動作を変化させることを特徴とする光量調整装置。
【手続補正５】
【補正対象書類名】明細書
【補正対象項目名】００３６
【補正方法】変更
【補正の内容】
【００３６】
上記課題を解決し、目的を達成するために、本発明の光量制御装置は、開口径を可変とすることによりレンズを透過する光量を調整する第１の光量調整手段と、前記第１の光量調整手段とは異なる方法で前記レンズを透過する光量を調整する第２の光量調整手段と、前記第１及び第２の光量調整により透過される光量が一定となるそれぞれの光量調節手段の組み合わせに関するデータを複数の光量に対して記憶した記憶手段と、前記記憶手段に記憶されている内容にしたがって、前記第１及び第２の光量調整手段を制御する制御手段と、を備えたことを特徴とする光量調整装置。
【手続補正６】
【補正対象書類名】明細書
【補正対象項目名】００３７
【補正方法】変更
【補正の内容】
【００３７】
上記課題を解決し、目的を達成するために、本発明の光量制御装置は、開口径を可変とすることによりレンズを透過する光量を調整する第１の光量調整手段と、入射光に対する透過率を変化させることによってレンズを透過する光量を調整する第２の光量調整手段と、前記第１の光量調整手段と、前記第２の光量調整手段が同時に駆動される期間が短くなるように、前記第１、第２の駆動量の組み合わせを制御する制御手段と、を備えたことを特徴とする光量調整装置。
【手続補正７】
【補正対象書類名】明細書
【補正対象項目名】００３８
【補正方法】変更
【補正の内容】
【００３８】
上記課題を解決し、目的を達成するために、本発明の光量制御装置は、開口径を可変とすることによりレンズを透過する光量を調整する第１の光量調整手段と、前記第１の光量調整手段とは異なる方法で前記レンズを透過する光量を調整する第２の光量調整手段と、前記第１または第２の光量調整手段を外部操作可能とする指示手段と、前記第１及び第２の光量調整手段によって透過光量を制御するとともに、前記指示手段によって前記第１または第２の光量調整手段の一方の光量調整手段の調整状態を変化させたとき、該変化による前記透過光量の変化を補正する方向に他方の光量調整手段を駆動する制御手段と、を備えたことを特徴とする光量制御装置。
【手続補正８】
【補正対象書類名】明細書
【補正対象項目名】００３９
【補正方法】変更
【補正の内容】
【００３９】
上記課題を解決し、目的を達成するために、本発明の光量制御装置の制御方法は、開口径を可変とすることによりレンズを透過する光量を調整する第１の光量調整行程と、前記第１の光量調整行程とは異なる方法で前記レンズを透過する光量を調整する第２の光量調整行程と、前記レンズを通過する透過光量を変化させる際、前記第１及び第２の光量調整行程を透過光量の変化の方向が互いに逆方向となるように同時に動作することによって目標となる透過光量を得るように制御可能な制御行程と、を有することを特徴とする光量調整装置の制御方法。
【手続補正９】
【補正対象書類名】明細書
【補正対象項目名】００４０
【補正方法】変更
【補正の内容】
【００４０】
上記課題を解決し、目的を達成するために、本発明の光量制御装置の制御方法は、開口径を可変とすることによりレンズを透過する光量を調整する第１の光量調整行程と、前記第１の光量調整行程とは異なる方法で前記レンズを透過する光量を調整する第２の光量調整行程と、前記第１の光量調整行程の動作状態を検出する第１の検出行程と、前記第２の光量調整行程の動作状態を検出する第２の検出行程と、前記レンズを透過する透過光量を増減させるに際して、前記第１の検出行程の検出結果と第２の検出行程の検出結果が所定の関係となるように、前記第１及び第２の光量調整行程を同時に制御する制御行程と、を備えたことを特徴とする光量調整装置の制御方法。
【手続補正１０】
【補正対象書類名】明細書
【補正対象項目名】００４１
【補正方法】変更
【補正の内容】
【００４１】
上記課題を解決し、目的を達成するために、本発明の光量制御装置の制御方法は、開口径を可変とすることによりレンズを透過する光量を調整する第１の光量調整行程と、前記第１の光量調整行程とは異なる方法で前記レンズを透過する光量を調整する第２の光量調整行程と、前記レンズを透過する透過光量を変化させる際、前記第１、第２の光量調整行程の両方を同時に動作させる制御行程を有し、前記制御行程は撮像装置の撮影モードに応じて、前記第１、第２の光量調整行程の動作を変化させることを特徴とする光量調整装置の制御方法。
【手続補正１１】
【補正対象書類名】明細書
【補正対象項目名】００４２
【補正方法】変更
【補正の内容】
【００４２】
上記課題を解決し、目的を達成するために、本発明の光量制御装置の制御方法は、開口径を可変とすることによりレンズを透過する光量を調整する第１の光量調整行程と、前記第１の光量調整行程とは異なる方法で前記レンズを透過する光量を調整する第２の光量調整行程と、前記第１及び第２の光量調整により透過される光量が一定となるそれぞれの光量調節行程の組み合わせに関するデータを複数の光量に対して記憶した記憶行程と、前記記憶行程に記憶されている内容にしたがって、前記第１及び第２の光量調整行程を制御する制御行程と、を備えたことを特徴とする光量調整装置の制御方法。
【手続補正１２】
【補正対象書類名】明細書
【補正対象項目名】００４３
【補正方法】変更
【補正の内容】
【００４３】
上記課題を解決し、目的を達成するために、本発明の光量制御装置の制御方法は、開口径を可変とすることによりレンズを透過する光量を調整する第１の光量調整行程と、入射光に対する透過率を変化させることによってレンズを透過する光量を調整する第２の光量調整行程と、前記第１の光量調整行程と、前記第２の光量調整行程が同時に駆動される期間が短くなるように、前記第１、第２の駆動量の組み合わせを制御する制御行程と、を備えたことを特徴とする光量調整装置の制御方法。
【手続補正１３】
【補正対象書類名】明細書
【補正対象項目名】００４４
【補正方法】変更
【補正の内容】
【００４４】
上記課題を解決し、目的を達成するために、本発明の光量制御装置の制御方法は、開口径を可変とすることによりレンズを透過する光量を調整する第１の光量調整行程と、前記第１の光量調整行程とは異なる方法で前記レンズを透過する光量を調整する第２の光量調整行程と、前記第１または第２の光量調整行程を外部操作可能とする指示行程と、前記第１及び第２の光量調整行程によって透過光量を制御するとともに、前記指示行程によって前記第１または第２の光量調整行程の一方の光量調整行程の調整状態を変化させたとき、該変化による前記透過光量の変化を補正する方向に他方の光量調整行程を駆動する制御行程と、を備えたことを特徴とする光量制御装置の制御方法。
【手続補正１４】
【補正対象書類名】明細書
【補正対象項目名】００４５
【補正方法】削除
【補正の内容】
【手続補正１５】
【補正対象書類名】明細書
【補正対象項目名】００４６
【補正方法】削除
【補正の内容】
【手続補正１６】
【補正対象書類名】明細書
【補正対象項目名】００４７
【補正方法】削除
【補正の内容】
【手続補正１７】
【補正対象書類名】明細書
【補正対象項目名】００４８
【補正方法】削除
【補正の内容】
【手続補正１８】
【補正対象書類名】明細書
【補正対象項目名】００４９
【補正方法】削除
【補正の内容】
【手続補正１９】
【補正対象書類名】明細書
【補正対象項目名】００５０
【補正方法】削除
【補正の内容】
【手続補正２０】
【補正対象書類名】明細書
【補正対象項目名】００５１
【補正方法】削除
【補正の内容】
【手続補正２１】
【補正対象書類名】明細書
【補正対象項目名】００５２
【補正方法】削除
【補正の内容】
【手続補正２２】
【補正対象書類名】明細書
【補正対象項目名】００５３
【補正方法】削除
【補正の内容】
【手続補正２３】
【補正対象書類名】明細書
【補正対象項目名】００５４
【補正方法】削除
【補正の内容】
【手続補正２４】
【補正対象書類名】明細書
【補正対象項目名】００５５
【補正方法】削除
【補正の内容】
【手続補正２５】
【補正対象書類名】明細書
【補正対象項目名】００５６
【補正方法】削除
【補正の内容】
【手続補正２６】
【補正対象書類名】明細書
【補正対象項目名】００５７
【補正方法】削除
【補正の内容】
【手続補正２７】
【補正対象書類名】明細書
【補正対象項目名】００５８
【補正方法】削除
【補正の内容】